(57)【特許請求の範囲】
【請求項１】
磁石を用いた投擲器具を受ける的板であって、
表面に的の表示がなされ強磁性体粉末を４５〜７０容積％含有した有機高分子エラストマーでなるシート状の表面層と、該表面層の裏面に貼着されるスポンジ状の発泡樹脂製でシート状の衝撃吸収層、さらに該衝撃吸収層の裏面に貼着されるシート状の裏板とで構成され、
上記磁石を用いた投擲器具を上記表面層の表面に投げつけた際に、上記表面層と上記衝撃吸収層とが相互に変形して衝撃を吸収し、かつ、上記投擲器具が上記表面層に磁気吸着された状態で、上記表面層と上記衝撃吸収層とが変形前の状態に復元することを特徴とする的当てゲームの的板
【請求項２】
磁石を用いた投擲器具を受ける的板であって、
表面に的の表示がなされ強磁性体粉末を４５〜７０容積％含有した有機高分子エラストマーでなるシート状の表面層と、該表面層の裏面に貼着されるスポンジ状の発泡樹脂製でシート状の衝撃吸収層、さらに該衝撃吸収層の裏面に貼着されるシート状の裏板とで構成され、
上記磁石を用いた投擲器具を上記表面層の表面に投げつけた際に、上記表面層と上記衝撃吸収層とが相互に変形して衝撃を吸収し、かつ、上記投擲器具が上記表面層に磁気吸着された状態で、上記表面層と上記衝撃吸収層とが変形前の状態に復元する作用を有すると共に、床面に載置された受け台に対して遊動自在或いは回動自在に取り付けられることを特徴とする的当てゲームの的板
【発明の詳細な説明】
【０００１】
【発明の属する技術分野】
本発明は、磁石を用いた投擲器具を使用する的当てゲームにおける的板に関するものである。
【０００２】
【従来の技術】
従来から磁石を用いた投擲器具を使用する的当てゲームは公知であり、例えば登録実用新案公報第３０５９４９８号には、図３に示すような投擲器具であるダーツ５の先端部に磁石６を設けたものが示され、このダーツを強磁性体の的に向かって投げて磁気吸着により的中させた点数の成績を比べるゲームが開示されている。
従来から知られているダーツは、先端を針状にとがった形状とし、的に突き刺すものであったため、特に子供などが使用すると危険な要素があったが、上記のようにダーツを磁気吸着させる方式であればこのような憂いは無くなり、安全に遊ぶことができて好適であり、現在では多くの商品が市場に出回っている。
しかしながら、これらのダーツの的は図９（ａ）に表す的板３１における縦中央断面図である（ｂ）に示すように本体３２には鉄等の強磁性体が用いられており、その表面に樹脂フィルム等のコーティング３３，３４が施されてはいるものの、全体として硬度が高いものであり、ダーツを当てた際に磁気吸着力以上の反発力が発生して外れる不都合が生じる場合があった。
なお、投擲するゲームとしては図１０のように、的４１を複数設けボール４３を当てて飛ばすものも知られている。このゲームにおいては、使用したボール拾いや飛んだ的拾いが必要になると共に、的を支持する受け台４２も必要となり、設置スペースや経費の関係で一般家庭向きとはいえなかった。
【０００３】
【発明が解決しようとする課題】
そこで、本発明はこの不都合を解消すべく、強く投げてもダーツが外れることが無く、さらにダーツ以外の投擲器具を使った的当てゲームにも適用可能な的板を提供することを課題とする。
【０００４】
【課題を解決するための手段】
上記課題を解決するために本発明は、磁石を用いた投擲器具を受ける的板であって、表面に的の表示がなされ強磁性体粉末を４５〜７０容積％含有した有機高分子エラストマーでなるシート状の表面層と、この表面層の裏面に貼着されるスポンジ状の発泡樹脂製でシート状の衝撃吸収層、さらにこの衝撃吸収層の裏面に貼着されるシート状の裏板とで構成され、磁石を用いた投擲器具を表面層の表面に投げつけた際に、表面層と衝撃吸収層とが相互に変形して衝撃を吸収し、かつ、投擲器具が表面層に磁気吸着された状態で、表面層と衝撃吸収層とが変形前の状態に復元する構成の的板とした。
なお、磁石を用いた投擲器具を受ける的板であって、表面に的の表示がなされ強磁性体粉末を４５〜７０容積％含有した有機高分子エラストマーでなるシート状の表面層と、この表面層の裏面に貼着されるスポンジ状の発泡樹脂製でシート状の衝撃吸収層、さらにこの衝撃吸収層の裏面に貼着されるシート状の裏板とで構成され、磁石を用いた投擲器具を表面層の表面に投げつけた際に、表面層と衝撃吸収層とが相互に変形して衝撃を吸収し、かつ、投擲器具が表面層に磁気吸着された状態で、表面層と衝撃吸収層とが変形前の状態に復元する作用を有すると共に、床面に載置された受け台に対して遊動自在或いは回動自在に取り付けられる構成の的板として実施することもできる。
【０００５】
【発明の実施の形態】
図１および図２は本発明の第１の実施例を示す。
本実施例における的板１は、投擲器具として図３に示した従来と同様な、先端に磁石６を有するダーツ５を使用するものであり、図１およびその中央縦断面図の図２に示すように、表面層２、衝撃吸収層３、裏板４を接着して形成される。
表面層２は、鉄などの強磁性体粉末を４５〜７０容積％程度含有した塩化ポリエチレン等のエラストマーであり表面には、ダーツの的としての表示が印刷されている。なお、印刷の保護のために薄肉の樹脂フィルムのコーティングを施したり、表示された樹脂フィルムを貼ることで印刷を省略しても良い。
これらの保護材については、表面が平坦なものでも良いが、凹凸あるいは植毛状態とすれば衝撃吸収がしやすくなるのでより好ましい。
衝撃吸収層３は、ウレタン等のスポンジ状の発泡樹脂が用いられ、表面層１が投擲器具の衝突により変形した際、適度に反発しつつ圧縮されるが短時間で元の形状に復帰する作用をし、衝撃の吸収および形状の維持に適したものとなっている。なお、材料としては上記以外の適宜なものを選択し用いることができる。
裏板４は、上記衝撃吸収層２を保護するものであり、樹脂シートなどで形成される。
なお、図中８は的板１を家庭の室内等の壁面に取り付けるための取り付け孔である。
【０００６】
以上の構成による的板１にダーツ５を投げつけて衝突させると、該的板１は図４に示すように表面層２および衝撃吸収層３が一時的に変形して衝撃を吸収すると共に磁気吸着によりダーツ５を接合させ、その後元の形状に復帰することになるので、ダーツ５は衝突時に外れにくく、さらに的板１も短時間に元の形状に戻ることによりゲームを継続的に楽しむことができる。
【０００７】
図５から図７は第２の実施例を示す。
この実施例は、前述した従来のゲームである図１０に示すようなボールを的に当てて飛ばすゲームを改良して楽しむための的板であり、着磁されたボールを受けられるようになっている。
的板１１は、上述の実施例の１と同様な構成となっており、表面にはゲーム用の表示が成され、例えば図５に示すようにボール７より大き目の升目が表され▲１▼〜▲９▼までの数字がうたれている。
受け台１２は、的板１１を取り付ける枠体部１３および台座部１４で構成され、下述するゲームを実施した際に衝撃で倒れない安定度を有している。
【０００８】
なお、受け台１２は図６および図７に示すような衝撃緩和構造としても良い。図６は揺動型であり、受け台１２ａは台座部１３ａと枠体部１４ａとを弾性構造で接続して構成されており、枠体部１４ａにボール７による強い衝撃が加わった際に、該ボール７が的板１１ａに吸着した状態で前後に揺動するようになっている。
また、図７は回転型であり、受け台１２ｂは台座部１３ｂと枠体部１４ｂとで構成され、（ａ）に示すように枠体部１４ｂの両側面に設けた回転ピン１５，１５を台座部１３ｂの両側に立設した支持部１６，１６に回転自在に取り付け、ボール７による衝撃が加わった際、（ｂ）に示すように該ボール７が的板１１ｂに吸着した状態で回転するようになっている。なお、枠体部１４ｂが早く元の位置に復帰するように重心を下方とするのが好ましく、例えば図中１７に示す錘を設けても良い。
【０００９】
ボール７は的に当てる投擲器具であり形状や大きさは特に制限されないが、従来のゲームの代用として楽しむ場合は軟式野球に用いるボール程度の大きさで球形が好ましい。ただし、質感は握った感触が残る程度の柔らかで、軽量な樹脂やゴム製のものを用いる。なお、このボール７には着磁がなされており強磁性体のものに磁気吸着するようになっている。
【００１０】
この状態で、ボール７を的板１１，１１ａ，１１ｂに向かって投げつけると、該的板１１，１１ａ，１１ｂが第１の実施例同様に衝撃を吸収するように変形するのと同時にボール７自体も変形して衝撃を吸収しつつ磁気吸着により取り付けられる。
従って、従来のようにボール７が突き抜けて適当なところに行ってしまうことが無く、的も枠体から外れないのでゲームをスムーズに進めることができる。
なお、図６および図７のように受け台１２ａ，１２ｂを衝撃緩和構造とすると衝撃を緩和しやすいと共に、枠体部１４ａおよび１４ｂは図中の矢印方向に大きく動くため的中した位置がすぐには判ず、ゲームとしての面白さも倍増する。
また、取り付けられたボール７をそのまま残してゲームを続けても良いが、外して図示しない当たりシールを貼るようにすれば、初期状態が維持できるのでより好ましい。
【００１１】
図８は第２の実施例の変形例を示す。
この実施例においては、的板２１を取り付ける受け台２２が壁掛け式になっている点が、第２の実施例と異なる。
即ち、受け台２１の上部には取り付け孔部２３，２３が形成されており、ここを壁から出た突起物に掛けることにより、簡単にゲームを行うことができる。
なお、取り付け孔部２３は中央に１個所設ける等個数は任意であり、受け台２２を省略した構造として的板２１に直接設けても良い。
この実施例によれば、設置スペースを取らないので家庭でも充分楽しむことができる。なお、この場合に使用するボールは、衝撃力の小さな小型で柔軟性に富んだものが好ましい。
【００１２】
本発明による的板は、投擲器具に力を込めて投げ込んでも衝撃吸収するので、上述した各実施例に示したゲーム以外に考えられる各種の投擲ゲームに対応することができる。また、その目的に応じて大きさや設置場所および設置方法も任意に変形して実施してよい。
【００１３】
【発明の効果】
本発明によれば、的板が表面に的の表示がなされ強磁性体粉末を４５〜７０容積％含有した有機高分子エラストマーでなるシート状の表面層と、この表面層の裏面に貼着されるスポンジ状の発泡樹脂製でシート状の衝撃吸収層、さらにこの衝撃吸収層の裏面に貼着されるシート状の裏板とで構成されているため、磁石を設けたダーツは的板に強く投げつけても衝撃で外れることなく磁気吸着により取り付けられるので、ゲームをスムーズに進行させることができる。
また、この作用は各種の投擲ゲームに応用が可能であるため、従来からあったボールを使った的飛ばしの改良型や、従来無かった各種の投擲ゲームを喚起させることができ、しかも小さなスペースでも実施できることになるため、家庭用も含めたスポーツや娯楽用の器材として好適なものとなる。
【図面の簡単な説明】
【図１】本発明による第１の実施例における的板の正面図である。
【図２】図１における縦中央断面図である。
【図３】本発明および従来例におけるダーツの斜視図である。
【図４】本発明による第１の実施例における的板の作用を示す拡大断面図である。
【図５】本発明による第２の実施例における的板および受け台の正面図である。
【図６】本発明による第２の実施例における受け台の衝撃緩和構造（揺動型）を示す側面図である。
【図７】本発明による第２の実施例における受け台の別の衝撃緩和構造（回転型）を示す説明図であり、（ａ）は正面図、（ｂ）は側面図を示す。
【図８】本発明による第２の実施例の変形例における的板の正面図である。
【図９】従来例の的板であり（ａ）は正面図、（ｂ）は（ａ）の縦中央断面図を示す。
【図１０】従来からある的飛ばしゲームの説明用の略図である
【符号の説明】
１、１１、２１  的板
２  表面層
３  衝撃吸収部材
４  裏板
５  ダーツ
６  磁石
７  ボール
８  取り付け孔
１２、１２ａ、１２ｂ、２２  受け台
１３、１３ａ、１３ｂ  台座部
１４、１４ａ、１４ｂ  枠体部
１５  回転ピン
１６  支持部
１７  錘
２３  取り付け孔部
３１  的板
３２  本体
３３、３４  コーティング
４１  的
４２  受け台
４３  ボール
【図１】
0003820363.tif 000002
【図２】
0003820363.tif 000003
【図３】
0003820363.tif 000004
【図４】
0003820363.tif 000005
【図５】
0003820363.tif 000006
【図６】
0003820363.tif 000007
【図７】
0003820363.tif 000008
【図８】
0003820363.tif 000009
【図９】
0003820363.tif 000010
【図１０】
0003820363.tif 000011